(57)【要約】【課題】誤操作及び多重押下による光学式タッチパネルのスイッチ入力に関する。【解決手段】透過式ＬＣＤパネルと、前記透過式ＬＣＤパネルに複数の操作スイッチ及び複数の画面表示面を表示する画面表示手段と、赤外線発光素子と赤外線受光素子とを有し、赤外線発光素子の投光動作と赤外線受光素子の受光動作とによって前記操作スイッチの押下を検出する検出手段と、前記透過式ＬＣＤパネル及び前記検出手段を制御する制御回路部と、前記画面表示面を切替える画面表示面切替え手段と、前記操作スイッチは複数の画面表示面に対応した複数の操作機能を判別する操作機能判別手段とを備えた光学式タッチパネル装置において、前記操作スイッチへの押下がＯＦＦした時点で、前記画面表示面切替え手段の判断を開始することを特徴とする。【選択図】  図５
2004348210.tif 000002
【特許請求の範囲】
【請求項１】
透過式ＬＣＤパネルと、前記透過式ＬＣＤパネルに複数の操作スイッチ及び複数の画面表示面を表示する画面表示手段と、赤外線発光素子と赤外線受光素子とを有し、赤外線発光素子の投光動作と赤外線受光素子の受光動作とによって前記操作スイッチの押下を検出する検出手段と、前記透過式ＬＣＤパネル及び前記検出手段を制御する制御回路部と、前記画面表示面を切替える画面表示面切替え手段と、前記操作スイッチは複数の画面表示面に対応した複数の操作機能を判別する操作機能判別手段とを備えた光学式タッチパネル装置において、前記操作スイッチへの押下がＯＦＦした時点で、前記画面表示面切替え手段の判断を開始することを特徴とする光学式タッチパネル装置。
【請求項２】
請求項１記載の光学式タッチパネル装置において、前記操作スイッチの押下時に、押下された操作スイッチと異なる他の操作スイッチの押下が検出された場合は多重押下し操作と判断して操作スイッチの押下の判断を取り消すことを特徴とする光学式タッチパネル装置。
【発明の詳細な説明】
【０００１】
【発明の属する技術分野】
本発明は、入力装置の制御方法に関する光学式タッチパネル装置に関する。
【０００２】
【従来の技術】
従来は、前記タッチスイッチの押下中に、押下したキーを含む所定の範囲を拡大表示し、操作性を向上させている。又、スイッチへの押下を終了したときに最後に押していたキーを入力キーと判定し、誤入力を防止している。（特許文献１参照）
【０００３】
【特許文献１】
特開２００２−９１６７７号公報
【０００４】
【発明が解決しようとする課題】
しかしながら、このような入力判定制御方法では、誤操作やユーザの意図せぬスイッチ押下を無効にできない。また、ＬＣＤパネル上の操作スイッチの位置が固定されて、なおかつ、画面表示面に切替えに対応する操作スイッチは複数の操作機能に対応している。そのような場合、操作スイッチを押した時点で、画面表示も切替わった場合は最初の画面に対応する機能と異なり切替わった画面に対応する機能になるので、本来、使用者が意図していた最初の画面での操作機能と異なってくる。
これを解消するには、操作スイッチ操作の終了（操作部より指等を離した状態：ＯＦＦ）を確認して、操作画面を切替えればいい。そうすれば操作画面の切替え前時点での機能に対応することも可能である。しかし、全部の操作スイッチがそのようにすると応答性を損なう。そのため、操作画面の切替えに対応する操作スイッチのみに操作スイッチ操作の終了（操作部より指等を離した状態：ＯＦＦ）を確認して操作状態を判断させればよい。
又、光電式反射方式タッチパネル装置では、操作スイッチを赤外線反射で検出を行うので、操作スイッチの操作中に使用者の手の影などにより意図していない操作スイッチが検出する。これを解消するため、操作スイッチに触れたかどうかの検出をピエゾ素子で行っている。しかし、ピエゾ素子は操作面の振動を検出するので、２つ以上の多重押しを検出できない。
そこで、操作スイッチ操作の終了（操作部より指等を離した状態：ＯＦＦ）まで切替え判断を行わないことを利用し、操作スイッチを押した時点から、操作スイッチ操作の終了（操作部より指等を離した状態：ＯＦＦ）までに、他の位置にある操作スイッチがＯＮになった場合、多重押しと判断しスイッチ操作を無効としている。
本発明は上記課題を解決するためになされたものであり、応答性を損なわず、誤入力を十分に防止することを目的の一つとする。又、本発明は操作性の良い入力装置を提供することを目的の一つとする。
【０００５】
【課題を解決するための手段及びその作用・効果】
本発明は、透過式ＬＣＤパネルと、前記透過式ＬＣＤパネルに複数の操作スイッチ及び複数の画面表示面を表示する画面表示手段と、赤外線発光素子と赤外線受光素子とを有し、赤外線発光素子の投光動作と赤外線受光素子の受光動作とによって前記操作スイッチの押下を検出する検出手段と、前記透過式ＬＣＤパネル及び前記検出手段を制御する制御回路部と、前記画面表示面を切替える画面表示面切替え手段と、前記操作スイッチは複数の画面表示面に対応した複数の操作機能を判別する操作機能判別手段とを備えた光学式タッチパネル装置において、前記操作スイッチへの押下がＯＦＦした時点で、前記画面表示面切替え手段の判断を開始することを特徴とする。
その結果、本発明は、前記タッチスイッチへの押下がＯＦＦを検出すると、操作が終了したと判断して操作画面を切替えるので、前記タッチスイッチへの押下中に他の前記タッチスイッチ押下が検出された場合など考慮することなく確実に操作スイッチによる操作による画面切替えが問題なく行われる。
又、前記操作スイッチへの押下がＯＦＦするまでに、押下中の前記操作スイッチとは異なる位置の、前記操作スイッチへの押下が検出された場合、前記画面表示面切替え手段の判断を無効とすることを特徴とする。
その結果、本発明は、前記タッチスイッチへの押下がＯＦＦを検出すると、操作が終了したと判断して操作画面を切替える。又、前記タッチスイッチへの押下中に他の前記タッチスイッチ押下が検出された場合、多重押下とし操作終了の判断を無効として操作画面の切替えを行わない。それにより、操作による画面切替えが問題なく行われる。
【０００６】
【発明の実施の形態】
以下、本発明の実施の形態を、図面により詳細に説明する。
【０００７】
図１は、本発明の一実施形態に係る光学式タッチパネル装置を適用した給湯機制御用リモコンの操作部の一実施例を示す平面図である。
【０００８】
上記リモコンの操作部は、図１に示すように、各々がＬＣＤタッチパネルセンサである矩形状の領域（以下、「タッチパネル」という）１、３、５、７、及び９を備える。タッチパネル１のハードウェア構成と、タッチパネル３乃至９のハードウェア構成とは、基本的に同一である。タッチパネル１乃至９のハードウェア構成については、図２において詳細に説明する。
【０００９】
本実施例では、タッチパネル１側には、一度に５種類の異なるスイッチ表示がなされる。図１に示した例では、タッチパネル１側には、給湯温度設定スイッチ１ａ、風呂温度設定スイッチ１ｂ、風呂湯量設定スイッチ１ｃ、浴槽洗浄スイッチ１ｄ、及び表示画面切替スイッチ１ｅが表示され、夫々に現在の給湯設定温度、風呂設定温度、風呂設定湯量、浴槽洗浄中、画面切替状態を表示中である。勿論、図１に示した例以外にも、タッチパネル１において、種々のスイッチ表示が可能である。タッチパネル１側に表示される個々のスイッチの表示領域の大きさは、各々のスイッチ毎に拡大／縮小が自在であり、従って表示されるスイッチ数についても、可変自在であるから、本実施例のように、５個だけに限定されるものではない。また、タッチパネル１側に同時に表示される５種類の異なるスイッチは、それらが表示された時点で夫々のスイッチ機能が有効になるので、タッチパネル１に設けられているバックライト用の発光素子であるＲＧＢ（赤・緑・青）発光ダイオード（図２で説明する）が、上記表示が開始された時点で起動して、上記各スイッチ機能が有効な間、所定の色の光（例えば青色光）を照射し続ける。
【００１０】
一方、タッチパネル３乃至９側には、夫々種類の異なる４個のスイッチ表示が個別になされる。図１に示した例では、タッチパネル３には運転切入スイッチが、タッチパネル５にはお湯はり保温スイッチが、タッチパネル７にはわかす保温スイッチが、タッチパネル９には呼出スイッチが、個別に表示されている。勿論、タッチパネル３乃至９においても、タッチパネル１におけると同様に、図１に示した例以外にも、種々のスイッチ表示が可能である。ここで、タッチパネル１と、タッチパネル３乃至９とは、例えば上記リモコンの操作部表面を覆う（保護用）アクリル板のような合成樹脂材料から成る枠体内に、上記操作部表面が全体として略フラットな面を形成するようにして嵌め込まれている。しかし、上記枠体を介して４つのタッチパネルに区画されている各タッチパネル３乃至９を、タッチパネル１と同様に１つのタッチパネルとして上記操作部表面に配置することも可能である。
【００１１】
本実施例では、運転切入スイッチ（３）、及びお湯はり保温スイッチ（５）の機能が有効なときには、わかす保温スイッチ（７）、及び呼出スイッチ（９）の機能が無効になっている。そのため、タッチパネル３、及びタッチパネル５に夫々設けられているバックライト用のＲＧＢ発光ダイオード（図２で説明する）が、上記表示が開始された時点、即ち、上記各スイッチ機能が有効になった時点で起動して、所定の色の光（例えば緑色光）を照射するが、タッチパネル７、及びタッチパネル９に夫々設けられているバックライト用のＲＧＢ発光ダイオードについては、上記時点では起動しない。つまり、タッチパネル３乃至９側では、タッチパネル１側と異なり、夫々のタッチパネル（３乃至９）に表示中のスイッチの機能が、同時に全て有効ではないので、現時点でのスイッチ機能の有効／無効をユーザに報知するための手段として、スイッチ機能の有効なタッチパネルのバックライト用のＲＧＢ発光ダイオードのみを駆動させることにしている。
【００１２】
上述した各種スイッチのアイコンや文字情報等は、例えば上記リモコン内のマイクロコンピュータ（図示しない）にインストールされているアプリケーションプログラムを起動させることによって、タッチパネル１乃至９に夫々変更自在に表示される。
【００１３】
図２は、図１に記載した給湯機制御用リモコンの操作部の一実施例を示す断面図である。
【００１４】
上記リモコンの操作部は、図２に示すように、ケーシング１１と、保護用アクリル板１３と、ＬＣＤ層１５と、拡散シート１７と、導光板１９と、反射シート２１と、バックライトホルダ２３と、プリント基板２５と、ピエゾ素子２７と、マイクロフォン（マイク）２９と、スピーカ３１と、ＲＧＢ発光ダイオード３３と、複数個の赤外線発光ダイオード３５、３７と、複数個の赤外線受光フォトダイオード３９、４１とを備える。
【００１５】
ケーシング１１は、図２の表面側から見た断面形状が略Ｕ字状を呈しており、ケーシング１１の内部空間の下方には、ケーシング１１の底面から所定の間隔を置いて、且つ、ケーシング１１の底面に対して略平行になるようにプリント基板２５が配置されている。プリント基板２５は、その適宜な箇所に複数個の赤外線発光ダイオード（３５、３７）の発光部、及び複数個の赤外線受光フォトダイオード（３９、４１）の受光部を夫々臨ませるための複数個（図では４個）の貫通孔２５ａ、２５ｂ、２５ｃ、２５ｄを有する。そして、プリント基板２５は、例えばケーシング１１の内壁面に設けられるリブ（図示しない）等にネジ止めされることでケーシング１１内の所定位置に固定されている。
【００１６】
ＲＧＢ発光ダイオード３３は、バックライト用の発光素子として機能するもので、プリント基板２５の上面の適宜箇所に取付固定されており、導光板１９に向けて所定の色（赤色、緑色、青色のいずれか）の光を出射する。
【００１７】
バックライトホルダ２３は、ＬＣＤ層１５、拡散シート１７、導光板１９、及び反射シート２１を、図２の下方から上方に向って、反射シート２１、導光板１９、拡散シート１７、及びＬＣＤ層１５の順に階層状に保持、固定するための部材である。バックライトホルダ２３は、図２の表面側から見た断面形状が略コ字状を呈するよう形成されていて、プリント基板２５の貫通孔２５ａ、２５ｂ、２５ｃ、２５ｄに夫々対応して貫通孔２３ａ、２３ｂ、２３ｃ、２３ｄを有する。そして、貫通孔２３ａ、２３ｂ、２３ｃ、２３ｄの位置が、貫通孔２５ａ、２５ｂ、２５ｃ、２５ｄの位置に夫々一致するように位置決めされて、プリント基板２５の上面側に載置、固定されている。
【００１８】
反射シート２１は、拡散シート１７側から導光板１９を通じて入射するバックライト用のＲＧＢ発光ダイオード３３からの出射光を、導光板１９を通じて拡散シート１７側に反射させるためのもので、（バックライトホルダ２３の）貫通孔２３ａ、２３ｂ、２３ｃ、２３ｄや、（プリント基板２５の）貫通孔２５ａ、２５ｂ、２５ｃ、２５ｄに夫々対応して貫通孔２１ａ、２１ｂ、２１ｃ、２１ｄを有する。そして、貫通孔２１ａ、２１ｂ、２１ｃ、２１ｄの位置が、貫通孔２３ａ、２３ｂ、２３ｃ、２３ｄの位置に夫々一致するように位置決めされて、バックライトホルダ２３の底面上に載置、固定されている。
【００１９】
ここで、貫通孔２５ａ〜２５ｄ、貫通孔２３ａ〜２３ｄ、及び貫通孔２１ａ〜２１ｄの口径は、いずれも、赤外線発光ダイオード（３５、３７）の発光部の外径や、赤外線受光フォトダイオード（３９、４１）の受光部の外径よりもかなり小さく設定されている。これにより、赤外線発光ダイオード（３５、３７）から出射した赤外光が赤外線発光ダイオード側の貫通孔２５ｂ、２５ｄ、貫通孔２３ｂ、２３ｄ、及び貫通孔２１ｂ、２１ｄ内部で反射しながら逐次放出され、また、赤外線受光フォトダイオード側の貫通孔２１ａ、２１ｃ、貫通孔２３ａ、２３ｃ、及び貫通孔２５ａ、２５ｃ内部で反射しながら逐次赤外線受光フォトダイオード（３９、４１）に入射することとなるので、光学式タッチパネルとしての機能を果たすのに充分な光量を確保することが可能になる。なお、貫通孔２５ａ、２５ｃに筒体（図示しない）を設けることで、赤外線受光フォトダイオード（３９、４１）の受光部を筒体（図示しない）によって覆うようにして、斜め方向から入射する赤外光を遮る構成や、或いは、貫通孔２５ａ、２５ｃにレンズを挿入して指向性を持たせることにより、赤外線受光フォトダイオード（３９、４１）の受光範囲を絞るようにする構成も想到し得る。
【００２０】
導光板１９は、バックライト用のＲＧＢ発光ダイオード３３から出射される所定の色（赤色、緑色、青色のいずれか）の光を拡散シート１７方向へ導くと共に、拡散シート１７から入射する上記光を反射シート２１方向へ導くためのもので、反射シート２１の上面に密着した状態で載置、固定されている。なお、導光板１９における貫通孔２１ａ〜２１ｄの直上部の部位には、該部位に赤外光が集光するような加工（光を単純透過させる処理だけで、光の拡散処理は施さない）が施されている。これは、赤外線発光ダイオード（３５、３７）の直上部（即ち、貫通孔２１ｂ、２１ｄに対応する部位）や、赤外線受光フォトダイオード（３９、４１）の直上部（即ち、貫通孔２１ａ、２１ｃに対応する部位）において、赤外線が拡散するのを防止するためである。
【００２１】
拡散シート１７は、導光板１９を通じて入射するバックライト用のＲＧＢ発光ダイオード３３からの出射光を、ケーシング１１内部において略均一に拡散させるためのもので、導光板１９の上面に密着した状態で載置、固定されている。拡散シート１７によって拡散された上記出射光の一部は、ＬＣＤ層１５及び保護用アクリル板１３を通してケーシング１１の外部に出射され、また、残りの出射光は、導光板１９を通して反射シート２１に入射し、反射シート２１で反射されて再び導光板１９を通して拡散シート１７に入射し、その一部がケーシング１１の外部に出射される。このようなプロセスを経ることによって、ＬＣＤ層１５全体がＲＧＢ発光ダイオード３３からの出射光によって隈なく照射されることになる。
【００２２】
拡散シート１７は、貫通孔２５ａ〜２５ｄに夫々臨んでいる複数個の赤外線発光ダイオード（３５、３７）の発光部、及び複数個の赤外線受光フォトダイオード（３９、４１）の受光部が、貫通孔２３ａ〜２３ｄ、貫通孔２１ａ〜２１ｄ、ＬＣＤ層１５、及び保護用アクリル板１３を通して外部から透けて見えるのを防止するための遮蔽部材としても機能する。なお、拡散シート１７には、赤外線の透過率の高い材料が使用されている。
【００２３】
ＬＣＤ層１５は、例えばバックライトホルダ２３の上方に突出している縁部から上部に向って伸びている複数本の棒状部材（図示しない）を介して、図２に示すように、ケーシング１１の上部に形成された開口に臨む位置に位置決めされた状態でバックライトホルダ２３によって保持、固定されている。拡散シート１７の上面と、ＬＣＤ層１５の下面とは、所定の間隙を隔てて対向している。なお、ＬＣＤ層１５には、赤外線の透過率の高い材料が使用されている。ＬＣＤ層１５には、例えばフルドットＬＣＤが用いられている。
【００２４】
保護用アクリル板１３は、ＬＣＤ層１５の表面が損傷するのを防止するために設けられるもので、ケーシング１１の開口を完全に塞いだ状態でケーシング１１に取付固定されている。保護用アクリル板１３には、赤外線の透過率が高いという特性がある。保護用アクリル板１３の下面と、ＬＣＤ層１５の上面とは、所定の間隙を隔てて対向している。
【００２５】
ピエゾ素子２７は、例えばユーザの指先が保護用アクリル板１３に触れたことによっ生じる微小な振動を、電気信号に変換して上述した（リモコン内部の）マイクロコンピュータ（図示しない）に出力するもので、保護用アクリル板１３の下面の適宜箇所に取付固定されている。マイク２９は、例えばユーザが音声によって上記マイクロコンピュータに指令を与えるときや、入浴中のユーザとの間で会話を行うときなどに用いられるもので、ケーシング１１内の開口近傍の部位に取付固定されている。スピーカ３１は、上記マイクロコンピュータの制御下で、ユーザに対して種々の情報を音声によって伝達しようとするときや、入浴中のユーザからの音声を伝達するときなどに用いられるもので、マイク２９と同様に、ケーシング１１内の開口近傍の部位に取付固定されている。
【００２６】
本実施例では、赤外線発光ダイオード（３５、３７）については、それらの発光部を貫通孔２５ｂ、２５ｄに夫々臨ませた状態で、また、赤外線受光フォトダイオード（３９、４１）については、それらの受光部を貫通孔２５ａ、２５ｃに夫々臨ませた状態で、いずれもプリント基板２５の下面側に取付固定されている。赤外線発光ダイオード（３５、３７）と、赤外線受光フォトダイオード（３９、４１）とは、赤外線発光ダイオード（３５、３７）から照射された赤外光が検知対象物（例えば保護用アクリル板１３に触れようとするユーザの指先など）に当って反射した赤外光を赤外線受光フォトダイオード（３９、４１）が受光することにより、所定の電気信号を出力することで、光学式タッチパネル装置のセンサ部として機能する。
【００２７】
また、本実施例では、図３に示すように、赤外線発光ダイオード（３５、３７）、及び赤外線受光フォトダイオード（３９、４１）は、対象物（例えばユーザの指先）が同一パネルの表面上のいずれの位置に接触した場合でも、その接触が検知可能なようにマトリクス状に配置されている。上記態様で赤外線発光ダイオード（３５、３７）、及び上記赤外線受光フォトダイオード（３９、４１）をマトリクス状に配置することにより、上記同一パネルの表面上での対象物の接触した位置を検知することができる。そのため、従来のように、同一パネル内に設定されるスイッチの数に応じた数だけ赤外線発光ダイオード（３５、３７）、及び赤外線受光フォトダイオード（３９、４１）を設ける必要がないから、赤外線発光ダイオード（３５、３７）、及び赤外線受光フォトダイオード（３９、４１）の数を大幅に減らすことが可能になり、上述した各部を配置するに際しての物理的な制約を低減することができる。
【００２８】
図４は、図１に記載した構成の給湯機制御用リモコンの操作部の図４の表面方向から内部を透視したときのイメージを示す平面図である。
【００２９】
図４において、領域５１が、図２で説明したＬＣＤ層１５に対応していて、１枚のＬＣＤから成っており、領域５３、５５、５７、５９、及び６１が、いずれも図２において符号１９で説明した（バックライト用の）導光板に対応している。また、領域６３が、図１において符号１で説明したタッチパネル（光学式タッチパネル）であり、領域６５、６７、６９、７１が、夫々図１で説明したタッチパネル３、５、７、９に対応している。また、図示は省略するが、上記各領域６３、６５、６７、６９、及び７１内の適宜箇所には、夫々図２で示したＲＧＢ発光ダイオード３３が１個ずつ合計で５個配置されており、各ＲＧＢ発光ダイオード３３から夫々所望の色の光がバックライトとして、各ＲＧＢ発光ダイオード３３に対応する領域（タッチパネル）内に照射される。なお、各領域６３、６５、６７、６９、及び７１には、図２において符号３５（３７）で示した赤外線発光ダイオードと、符号３９（４１）で示した赤外線受光フォトダイオードとが、夫々符号７３、７５で示すように１対ずつ配置されている。なお、赤外線発光ダイオードと、赤外線受光フォトダイオードとをマトリクス状に配置した構成にすることもできる。
【００３０】
上記構成によれば、赤外線発光ダイオード３５（３７）、及び赤外線受光フォトダイオード３９（４１）を、プリント基板２５の下面側に配置することとしたので、操作部の表面側を略フラットに形成することができる。そのため、水や塵を溜まり難くすることが可能になると共に、清掃し易くすることが可能になり、且つ、操作部表面のデザインの自由度を増大することも可能になる。
【００３１】
図５は、スイッチ数が２つであった場合の、スイッチ入力確定処理ルーチンの一例を示すフローチャートである。
【００３２】
まず、押下時（操作部を指等で押した状態：ＯＮ）の多重押下判断ついて詳細に説明する。
待機状態からスイッチＡの押下が検出されると（Ｓ１）スイッチＡの押下が有る事を示すフラグＡがＯＮになる（Ｓ２）。スイッチＡの押下が検出されている間はフラグＡはＯＮのままとなる。その後スイッチＢの押下を示すフラグがＯＮでなければスイッチ入力が確定し、スイッチＡの押下に対応した処理Ａ１が実行される（Ｓ３）。途中でスイッチＢの押下が検出された場合は（Ｓ６）スイッチＢの押下が有る事を示すフラグＢがＯＮになり（Ｓ７）、スイッチＡの押下中に他のスイッチの押下を示すフラグが立っていた場合（Ｓ４）となり、多重押下を示す多重押下フラグがＯＮとなり（Ｓ５）、処理Ａ１を実行せずに待機状態へと遷移する。先にスイッチＢの押下が検出された場合（Ｓ６）も同様に、途中でフラグＡがＯＮでなかった場合は、スイッチＢの押下に対応した処理Ｂ１が実行され（Ｓ８）、フラグＡがＯＮの場合は（Ｓ９）、多重押下を示す多重押下フラグがＯＮになり（Ｓ１０）、処理Ｂ１を実行せずに待機状態へと遷移する。
【００３３】
次に、押下終了時（操作部より指等を離した状態：ＯＦＦ）の画面表示面切替え手段の開始判断と、多重押下・押下スイッチと押下終了スイッチが異なる場合の処理について詳細に説明する。
待機状態から、スイッチＡの押下終了が検出されると（Ｓ１１）、まずフラグＡがＯＦＦでないかを確認し（Ｓ１２）、フラグＡがＯＦＦの場合は押下スイッチと押下終了スイッチが異なると判断し、何もせずに待機状態へと遷移する。フラグＡがＯＮの場合はフラグＢを確認し（Ｓ１３）、フラグＢがＯＮの場合は、スイッチＡ以外のスイッチが押下されている多重押下と判断し、フラグＡをＯＦＦにして待機状態へ移行する（Ｓ１４）。フラグＢがＯＦＦの場合は、多重押下フラグを確認し（Ｓ１５）、多重押下フラグがＯＮなら全フラグをＯＦＦにして（Ｓ１６・Ｓ１７）待機状態へ遷移する。多重押下フラグがＯＮでないならスイッチ入力が確定し押下終了に対応した、画面表示面切替え手段の開始（処理Ａ２）を行い（Ｓ１８）、全フラグをＯＦＦにして（Ｓ１９・Ｓ２０）待機状態へ遷移する。先にスイッチＢの押下終了が検出された場合（Ｓ２１）も同様に、フラグＢがＯＦＦの場合は（Ｓ２２）、何もせずに待機状態へと遷移し、フラグＢがＯＮの場合はフラグＡを確認し（Ｓ２３）、フラグＡがＯＮの場合は、スイッチＢ以外のスイッチが押下されていると判断し、フラグＢをＯＦＦにして待機状態へ移行する（Ｓ２４）。フラグＡがＯＦＦの場合は、多重押下フラグを確認し（Ｓ２５）、多重押下フラグがＯＮなら全フラグをＯＦＦにして（Ｓ２６・Ｓ２７）待機状態へ遷移する。多重押下フラグがＯＮでないならスイッチ入力が確定し押下終了に対応した画面表示面切替え手段の開始（処理Ｂ２）を行い（Ｓ２８）、全フラグをＯＦＦにして（Ｓ２９・Ｓ３０）待機状態へ遷移する。
【００３４】
ここで多重押下の判断を多重押下フラグのみで行わない理由は、何れかのスイッチが押された状態の時に、押下中のスイッチとは異なる位置のスイッチのＯＮ／ＯＦＦ繰返し動作に対応するためである。（多重押下の判断後、待機状態に戻る際に全フラグをＯＦＦしているので、実際には多重押下中であっても、再度の押下終了時に多重押下フラグがＯＦＦのため処理が行われてしまう。）
【図面の簡単な説明】
【図１】本発明の一実施形態に係る光学式タッチパネル装置を適用した給湯機制御用のリモコン操作部の一実施例を示す平面図。
【図２】図１に記載した給湯機制御用リモコンの操作部の一実施例を示す断面図。
【図３】図１に記載した給湯機制御用リモコンの操作部の一実施例を示す上画面。
【図４】図１に記載した構成の給湯機制御用リモコンの操作部の図３の表面方向からリモコン内部を透視したときのイメージを示す平面図。
【図５】スイッチ入力確定処理ルーチンの一例を示すフローチャート。
【符号の説明】
１、３、５、７、９…光学式タッチパネル（タッチパネル）
１１…ケーシング
１３…保護用アクリル板
１５…ＬＣＤ（液晶表示部）層
１７…拡散シート
１９…導光板
２１…反射シート
２３…バックライトホルダ
２５…プリント基板
２７…ピエゾ素子
２９…マイクロフォン
３１…スピーカ
３３…ＲＧＢ発光ダイオード
３５、３７…赤外線発光ダイオード
３９、４１…赤外線受光フォトダイオード
【図１】
2004348210.tif 000003
【図２】
2004348210.tif 000004
【図３】
2004348210.tif 000005
【図４】
2004348210.tif 000006
【図５】
2004348210.tif 000007